(57)【特許請求の範囲】
【請求項１】
かごを運行して複数の階床に設けられた乗場に乗客を運ぶエレベータシステムであって、
軽便車両の利用者向けの車両用乗場呼びを受け付ける車両用乗場呼び登録受付手段と、
前記軽便車両を使用しない一般者向けの一般用乗場呼びを受け付ける一般用乗場呼び登録受付手段と、
前記かごの運行モードを、前記かごの運行状況に基づいて車両用運行モード又は一般用運行モードに交互に切り替えるモード制御手段と、
前記かごの運行方向を、前記運行モード及び前記かごの運行状況に基づいて上昇方向及び下降方向に交互に切り替える運行方向制御手段と、
前記車両用運行モード時には前記運行方向と同一方向の未応答の前記車両用乗場呼びをかごに応答させ、前記一般用運行モード時には前記運行方向と同一方向の未応答の前記一般用乗場呼びをかごに応答させる応答制御手段と、
前記運行方向及び応答することが選択された乗場呼びに基づいてかごの運行を制御する運行制御手段と、
を具えたことを特徴とするエレベータシステム。
【請求項２】
前記運行方向制御手段は、一の運行方向において、車両用運行モードと一般用運行モードでの運行が一回ずつ実行された後、他の運行方向に切り替える、
請求項１に記載のエレベータシステム。
【請求項３】
前記モード制御手段は、一の運行モード実行中、応答することが選択された全ての乗場呼び及びかご呼びに対する応答が終了した後、他の運行モードに切り替える、
請求項１又は２に記載のエレベータシステム。
【請求項４】
前記応答制御手段は、前記車両用乗場呼び登録受付手段において受け付けられた順を前記車両用乗場呼びの優先順位とし、前記車両用運行モードにおいて、前記運行方向と同一方向の未応答の車両用乗場呼びのうち少なくとも最優先の車両用乗場呼びをかごに応答させ、
前記運行制御手段は、前記車両用運行モード開始時、最初に、最優先の前記車両用乗場呼びの階床に前記かごを移動させる、
請求項１乃至請求項３の何れかに記載のエレベータシステム。
【請求項５】
前記応答制御手段は、前記運行方向と同一方向の未応答の車両用乗場呼びのうち、前記最優先の車両用乗場呼びのかごの応答に加え、前記最優先の車両用乗場呼びの階床から運行方向上の階床にある車両用乗場呼びも優先順位に基づいてかごに応答させる、
請求項４に記載のエレベータシステム。
【請求項６】
前記応答制御手段は、前記車両用運行モード一回あたりに応答させる前記車両用乗場呼びの最大数を、前記乗場の数よりも少ない所定数とする、
請求項４又は５に記載のエレベータシステム。
【請求項７】
前記モード制御手段は、一の運行モードから他の運行モードに切り替える際、前記他の運行モードでの乗場呼びが登録されておらず、且つ、前記一の運行モードでの乗場呼びが登録されている場合、前記一の運行モードを継続して実行する、
請求項１乃至請求項６の何れかに記載のエレベータシステム。
【請求項８】
前記乗場及び前記かご内の少なくとも一方に、現在の運行モードが前記車両用運行モードであることを案内するモード案内手段を具える、
請求項１乃至請求項７の何れかに記載のエレベータシステム。
【請求項９】
前記かご内に、前記車両用運行モード開始時に一般者へのかごからの退出案内を行なう退出案内手段を具える、
請求項１乃至請求項８の何れかに記載のエレベータシステム。
【請求項１０】
かごを昇降させて複数の階床に設けられた乗場に乗客を運ぶエレベータシステムの運行モード切替制御方法であって、
軽便車両の利用者向けの車両用乗場呼びを受け付ける車両用乗場呼び登録ステップ、
前記軽便車両を使用しない一般者向けの一般用乗場呼びを受け付ける一般用乗場呼び登録ステップ、
前記かごの運行モードを、前記かごの運行状況に基づいて車両用運行モード又は一般用運行モードに交互に切り替えるモード制御ステップ、
前記かごの運行方向を、前記運行モード及び前記かごの運行状況に基づいて上昇方向及び下降方向に交互に切り替える運行方向制御ステップ、
前記車両用運行モード時には前記運行方向と同一方向の未応答の前記車両用乗場呼びをかごに応答させ、前記一般用運行モード時には前記運行方向と同一方向の未応答の前記一般用乗場呼びをかごに応答させる応答呼び選択ステップ、
前記運行方向及び応答することが選択された乗場呼びに基づいてかごの運行を制御する運行制御ステップと、
を含むことを特徴とする運行モード切替制御方法。
【発明の詳細な説明】
【技術分野】
【０００１】
本発明は、かごを運行して複数の階床に設けられた乗場に乗客を運ぶエレベータシステム及びその運行モード切替制御方法に関するものであり、より具体的には、車椅子等の軽便車両の利用者が確実に乗車できる車両用運行モードを具備するエレベータシステム及びその運行モード切替制御方法を提供することである。
【背景技術】
【０００２】
エレベータシステムにおけるかごの運行方法として、セレクティブコレクティブ（セレコレ）運行方法（乗合自動方式）が一般的に採用されている。この運行方法では、上昇又は下降の一方向の運行中に応答を端階から行なっていく。例えば、上昇方向の運行では、かごが最下階から最上階に移動しつつ乗場呼び及びかご呼びのあった階床に順次停止していく。
【０００３】
本発明の図４に示すように、かごの移動方向が運行方向(行先方向)と同じ向きのかご呼び又は乗場呼びであって、かごの位置が出発階と同じ又は運行方向側にある呼びを第１象限、かごの移動方向が運行方向とは逆向きのかご呼び又は乗場呼びであって、応答のためにかごを現在階よりも以遠に移動し、反転させる必要のある呼びを第２象限、かごの移動方向が運行方向とは逆向きのかご呼び又は乗場呼びであって、かごの位置が出発階と同じ又は運行方向逆側にある呼びを第３象限、かごの移動方向が運行方向と同じ向きのかご呼びであって、かごの位置が出発階よりも運行方向逆側にあるかご呼び又は乗場呼びを第４象限と称する。そして、セレコレ運行では、第１象限、第２象限、第３象限、第４象限のかご呼び又は乗場呼びに順次応答すべく運行が行なわれている。すなわち、フローチャート図５に示すように、第１象限のかご呼び又は乗場呼びがあれば（ステップＳ１のＹＥＳ）、これらに最初に応答する（ステップＳ２）。第１象限のかご呼びも乗場呼びもなく（ステップＳ１のＮＯ）、第２象限の乗場呼びがあれば（ステップＳ３のＹＥＳ）、現在位置から出発階が最も遠い乗場呼びに応答する（ステップＳ４）。第１象限と第２象限のかご呼びも乗場呼びもなく（ステップＳ３のＮＯ）、第３象限の乗場呼びがあれば（ステップＳ５のＹＥＳ）、現在位置から出発階が最も近い乗場呼びに応答し（ステップＳ６）、第１象限乃至第３象限のかご呼びも乗場呼びもなく（ステップＳ５のＮＯ）、第４象限の乗場呼びがあれば（ステップＳ７のＹＥＳ）、現在位置から最も遠い乗場呼びから順次応答する（ステップＳ８）。
【０００４】
また、エレベータシステムには、通常の乗場呼びボタンに加えて、車椅子、ベビーカ、ショッピングカート等の利用者向けの軽便車両用の乗場呼びボタンが設けられた構成のものもある（例えば、特許文献１参照）。この軽便車両用の乗場呼びボタンが操作されると、補助敷居が動作するため軽便車両のかごへの乗降がしやすくなる。商業施設などでは、ベビーカやショッピングカート等の軽便車両の利用頻度が高いので、軽便車両と一緒にエレベータが利用される頻度も高い。
【先行技術文献】
【特許文献】
【０００５】
【特許文献１】特開２００４−２５０１９７号公報
【発明の開示】
【発明が解決しようとする課題】
【０００６】
しかしながら、上述したセレコレ運行方法では、混雑時は中間階には満員状態のかごしか到着せず、かごに乗車できない状況が発生し易い。また、一旦このような満員状態に陥ると、次に到着するかごも満員に近い状態が続く。満員に近い状態であっても利用者はかごに乗り込むことは可能であるが、ある程度の乗車面積が必要な軽便車両と共に乗り込むことは難しい。すなわち、一旦かごが満員状態になると、軽便車両の利用者は、長時間乗車できない状態が続く虞がある。
【０００７】
また、かごが満員に近い状態では、軽便車両の利用者の乗場呼びによってかごが到着したものの、待機している軽便車両の利用者はかごに乗り込めないため、かごが到着しても誰も乗降しない状態となることがあり、実質的に無駄な停止となって運行効率も低下してしまう。
【０００８】
本発明の目的は、軽便車両の利用者が確実に乗車できると共に、運行効率の向上を図ることのできるエレベータシステム及びその運行モード切替制御方法を提供する。
【課題を解決するための手段】
【０００９】
本発明に係るエレベータシステムは、
かごを運行して複数の階床に設けられた乗場に乗客を運ぶエレベータシステムであって、
軽便車両の利用者向けの車両用乗場呼びを受け付ける車両用乗場呼び登録受付手段と、
前記軽便車両を使用しない一般者向けの一般用乗場呼びを受け付ける一般用乗場呼び登録受付手段と、
前記かごの運行モードを、前記かごの運行状況に基づいて車両用運行モード及び一般用運行モードに交互に切り替えるモード制御手段と、
前記かごの運行方向を、前記運行モード及び前記かごの運行状況に基づいて上昇方向及び下降方向に交互に切り替える運行方向制御手段と、
前記車両用運行モード時には前記運行方向と同一方向の未応答の前記車両用乗場呼びをかごに応答させ、前記一般用運行モード時には前記運行方向と同一方向の未応答の前記一般用乗場呼びをかごに応答させる応答制御手段と、
前記運行方向及び応答することが選択された乗場呼びに基づいてかごの運行を制御する運行制御手段と、を具える。
【００１０】
前記運行方向制御手段は、一の運行方向において、車両用運行モード及び一般用運行モードでの運行が一回ずつ実行された後、他の運行方向に切り替えるようにしてもよい。
【００１１】
前記モード制御手段は、一の運行モード実行中、応答することが選択された全ての乗場呼び及びかご呼びに対する応答が終了した後、他の運行モードに切り替えるようにしてもよい。
【００１２】
前記応答制御手段は、前記車両用乗場呼び登録受付手段において受け付けられた順を前記車両用乗場呼びの優先順位とし、前記車両用運行モードにおいて、前記運行方向と同一方向の未応答の車両用乗場呼びのうち少なくとも最優先の車両用乗場呼びをかごに応答させ、
前記運行制御手段は、前記車両用運行モード開始時、最初に、最優先の前記車両用乗場呼びの階床に前記かごを移動させるようにしてもよい。
【００１３】
前記応答制御手段は、前記運行方向と同一方向の未応答の車両用乗場呼びのうち、前記最優先の車両用乗場呼びのかごの応答に加え、前記最優先の車両用乗場呼びの階床から運行方向上の階床にある車両用乗場呼びも優先順位に基づいてかごに応答させるようにしてもよい。
【００１４】
前記応答制御手段は、前記車両用運行モード一回あたりに応答する前記車両用乗場呼びの最大数を、前記乗場の数よりも少ない所定数とするようにしてもよい。
【００１５】
前記モード制御手段は、一の運行モードから他の運行モードに切り替える際、前記他の運行モードでの乗場呼びが登録されておらず、且つ、前記一の運行モードでの乗場呼びが登録されている場合、前記一の運行モードを継続して実行するようにしてもよい。
【００１６】
前記乗場及び前記かご内の少なくとも一方に、現在の運行モードが前記車両用運行モードであることを案内するモード案内手段を具えるようにしてもよい。
【００１７】
前記かご内に、前記車両用運行モード開始時に一般者へのかごからの退出案内を行なう退出案内手段を具えるようにしてもよい。
【００１８】
本発明に係るエレベータシステムの表示モード切替制御方法は、
かごを昇降させて複数の階床に設けられた乗場に乗客を運ぶエレベータシステムの運行モード切替制御方法であって、
軽便車両の利用者向けの車両用乗場呼びを受け付ける車両用乗場呼び登録ステップ、
前記軽便車両を使用しない一般者向けの一般用乗場呼びを受け付ける一般用乗場呼び登録ステップ、
前記かごの運行モードを、前記かごの運行状況に基づいて車両用運行モード又は一般用運行モードに交互に切り替えるモード制御ステップ、
前記かごの運行方向を、前記運行モード及び前記かごの運行状況に基づいて上昇方向及び下降方向に交互に切り替える運行方向制御ステップ、
前記車両用運行モード時には前記運行方向と同一方向の未応答の前記車両用乗場呼びをかごに応答させ、前記一般用運行モード時には前記運行方向と同一方向の未応答の前記一般用乗場呼びをかごに応答させる応答呼び選択ステップ、
前記運行方向及び応答することが選択された乗場呼びに基づいてかごの運行を制御する運行制御ステップ、を含む。
【発明の効果】
【００１９】
本発明によれば、軽便車両の利用者向けの車両用乗場呼びを受け付ける車両用乗場呼び登録受付手段と、軽便車両を使用しない一般者向けの一般用乗場呼びを受け付ける一般用乗場呼び登録受付手段とが設けられ、軽便車両の利用者及び一般者の乗場呼びが区別される。また、かごの運行モードが車両用運行モードと一般用運行モードに交互に切り替えられ、車両用運行モード時には運行方向と同一方向の未応答の車両用乗場呼びをかごに応答させ、一般用運行モード時には運行方向と同一方向の未応答の一般用乗場呼びをかごに応答させる。
【００２０】
これにより、軽便車両の利用者と一般者のかごの運行が交互に切り替えられて提供される。したがって、車両用運行モード時の一般者のかごへの乗り込みを抑制することができ、軽便車両の利用者が確実にかごに乗車できる。これにより、軽便車両の利用者の最大待ち時間を短縮することができる。
【図面の簡単な説明】
【００２１】
【図１】図１は、本発明の一実施形態に係るエレベータの乗場の外観図である。
【図２】図２は、本発明の一実施形態に係るエレベータのかご内の外観図である。
【図３】図３は、本発明の一実施形態に係るエレベータシステムの機能ブロック図である。
【図４】図４は、呼びの階床と行先方向との関係を示す４象限マトリクスの一例を示す図である。
【図５】図５は、セレコレ運行における各象限のかご呼び又は乗場呼びに対する応答順序を示すフローチャートである。
【図６】図６は、本発明の一実施形態に係るかごの運行線図を示す図である。
【図７】図７は、本発明の一実施形態に係るかごの運行処理を示すフローチャートである。
【図８】図８は、本発明の一実施形態に係る運行方向と同一方向の未応答の車両用乗場呼びのかごの応答処理を示すフローチャートである。
【図９】図９は、本発明の一実施形態に係るかご呼びのかごの応答処理を示すフローチャートである。
【図１０】図１０は、本発明の一実施形態に係る乗場車両用運行モード灯の点灯処理のフローチャートである。
【図１１】図１１は、本発明の一実施形態に係る退出案内用スピーカの出力処理のフローチャートである。
【発明を実施するための形態】
【００２２】
図面を参照して本発明の一実施形態に係るエレベータシステム１及びエレベータシステム１の運行モード切替制御方法について説明する。
【００２３】
図１は、本発明の一実施形態に係るエレベータの乗場の外観図である。本実施形態のエレベータシステム１には、少なくとも一台のかご７（図２参照）を含んでいる。エレベータシステム１は、かごを運行して複数の階床に設けられた乗場に乗客を運ぶ。各階床の乗場には、乗場側のドア７１の周囲にインジケータランプ１１０、乗場車両用運行モード灯２０、一般用乗場呼びボタン３０、車両用乗場呼びボタン４０等が設けられている。
【００２４】
インジケータランプ１１０、かご７の現在位置（階床番号）及び移動方向（昇降方向）などのかご７の運行状況が表示される。乗場車両用運行モード灯２０は、エレベータシステム１で行なわれている現在の運行モードが車両用運行モードである場合に点灯する。本エレベータシステム１では、一般用運行モードと車両用運行モードが交互に実行される。乗場車両用運行モード灯２０は、表面の樹脂パネルの裏面側にランプが設けられ、車両用運行モードの実行中にのみランプが点灯し、それ以外は消灯する。
【００２５】
「一般用運行モード」は、車椅子、ベビーカ、ショッピングカート等の軽便車両を使用しない一般者向けの乗場呼び（一般用乗場呼び）に対するかご７の運行を行なうモードである。「車両用運行モード」は、軽便車両の利用者向けの乗場呼び（車両用乗場呼び）に対するかご７の運行を行なうモードである。したがって、一般用運行モードの実行中は、車両用乗場呼びのあった階床にかご７は停止しない。すなわち、車両用乗場呼びに対する応答は行なわれない。一方、車両用運行モードの実行中は、一般用乗場呼びのあった階床にかご７は停止しない。すなわち、一般用乗場呼びに対する応答は行なわれない。詳細は後述する。
【００２６】
一般用乗場呼びボタン３０は、上述した一般用乗場呼びの入力を受け付ける。具体的には、行先方向が上か下かの入力を受け付けるボタンである。車両用乗場呼びボタン４０は、上述した車両用乗場呼びの入力を受け付ける。具体的には、行先方向が上か下かの入力を受け付けるボタンである。なお、一般用乗場呼びボタン３０と車両用乗場呼びボタン４０を見分けやすくするために、車両用乗場呼びボタン４０に軽便車両用であることを示すマークを付しておくことが望ましい。
【００２７】
図２は、本発明の一実施形態に係るエレベータのかご７内の外観図である。かご７内のドア７１近傍の壁面には、退出案内用スピーカ８０、かご内車両用運行モード灯９０、かご呼びボタン１００等が設けられている。退出案内用スピーカ８０は、かご７内の乗客に対し、車両用運行モード開始時に軽便車両を利用していない一般者のかご７からの退出を案内する（促す）音声を出力する。かご内車両用運行モード灯９０は、上述した乗場車両用運行モード灯２０と同様の構成であり、車両用運行モード実行中に点灯する。
【００２８】
かご呼びボタン１００は、階床番号が付されたボタンであって複数配置されている。かご呼びボタン１００は、かご呼び（かご７の乗客の行先階）の入力を受け付ける。すなわち、エレベータの利用者は、乗場において一般用乗場呼びボタン３０又は車両用乗場ボタン４０を操作して乗場呼びを行ない、この乗場呼びに対して到着したかご７に乗車してかご呼びボタン１００を操作して行先階を入力することで行先階に移動することができる。その他、図示していないが、かご７内には、乗場のインジケータランプ１１０と同様なインジケータランプ等も設けられている。
【００２９】
図３は、本発明の一実施形態に係るエレベータシステムの機能ブロック図である。これらは、ＣＰＵ、メモリやバッファ、これらに記録された各種プログラム等によって実現されるが、図３では、これらの連繋によって実現される代表的な機能に関する機能ブロックのうち、本発明に関連する機能ブロックのみを描いている。これら機能ブロックがハードウェアのみ、ソフトウエアのみ又はこれらの組合せによって実現可能であることは当然理解されるべきである。
【００３０】
エレベータシステム１は、車両用運行モード案内手段２、一般用乗場呼び登録受付手段３、車両用乗場呼び登録受付手段４、運行制御装置５、かご制御装置６、かご７等を具えている。なお、車両用運行モード案内手段２、一般用乗場呼び登録受付手段３、車両用乗場呼び登録受付手段４については、１の乗場についてのみ図示する。
【００３１】
車両用運行モード案内手段２は、各階床の乗場に設けられ、乗場車両用運行モード灯２０、点灯回路（図示せず）等から構成されている。点灯回路は、内蔵されたランプを点灯及び消灯する。車両用運行モード案内手段２は、有線又は無線接続されたモード制御手段５１の指示に基づいて、車両用運行モードが実行中であることを点灯により案内（報知）する。一般用乗場呼び登録受付手段３は、各階床の乗場に設けられ、一般用乗場呼びボタン３０等を具えている。一般用乗場呼び登録受付手段３は、上述したように一般用乗場呼びの入力を受け付ける。車両用乗場呼び登録受付手段４は、各階床の乗場に設けられ、車両用乗場呼びボタン４０等を具えている。車両用乗場呼び登録受付手段４は、上述したように車両用乗場呼びの入力を受け付ける。各登録受付手段３，４は、有線又は無線接続された応答制御手段５３に乗場呼び情報を送信する。
【００３２】
運行制御装置５は、エレベータのシャフトや機械室などの制御盤内に設けられ、かご７の運行を統括的に管理する。運行制御装置５は、運行制御手段５０、モード制御手段５１、運行方向制御手段５２、応答制御手段５３等を具えている。
【００３３】
モード制御手段５１は、モード切替条件に基づいて、運行モードを一般用運行モードと車両用運行モードに交互に切り替える。モード制御手段５１は、かご７の運行状況に基づいてモード切替条件の成立の判定を行なう。モード切替条件は、一の運行方向（上昇方向又は下降方向）における運行が終了したことである。
【００３４】
具体的には、一般用運行モードから車両用運行モードへのモード切替条件は、一の運行方向において、応答することが選択された全ての一般用乗場呼びとかご呼びに応答したこと、且つ、最終の一般乗場呼び又はかご呼びの応答で戸開してから所定時間（例えば５秒）が経過したことである。また、車両用運行モードから一般用運行モードへのモード切替条件は、応答することが選択された全ての車両用乗場呼びとかご呼びに応答したこと、且つ、最終の車両用乗場呼び又はかご呼びの応答で戸開が完了してから所定時間（例えば２０秒）が経過したことである。
【００３５】
また、モード制御手段５１は、現在の運行モードの設定内容を記憶管理し、現在の運行モードの情報を有線又は無線接続された運行方向制御手段５２、応答制御手段５３等に送信する。
【００３６】
運行方向制御手段５２は、運行方向切替条件に基づいて、かご７の運行方向を上昇方向と下降方向に交互に切り替える。運行方向制御手段５２は、有線又は無線接続されたモード制御手段５１から受信した運行モードに基づいて運行方向切替条件の成立の判定を行なう。運行方向切替条件は、一の運行方向において、一般用運行モードと車両用運行モードが一回ずつ実行されたことである。すなわち、エレベータシステム１では、運行している限り基本的に下記１．乃至４．のように運行が順に繰り返し行なわれていく。なお、応答するべき呼びがない場合には、その運行モードは実行せずに次の運行モードに切り替えられる。
【００３７】
１．運行方向：上、運行モード：一般用運行モード
２．運行方向：上、運行モード：車両用運行モード
３．運行方向：下、運行モード：一般用運行モード
４．運行方向：下、運行モード：車両用運行モード
５．運行方向：無、運行モード：遊休
【００３８】
また、運行方向制御手段５２は、現在の運行方向の設定内容を記憶管理し、現在の運行方向情報を有線又は無線接続された運行制御手段５０及び応答制御手段５３に送信する。
【００３９】
応答制御手段５３は、運行モードに基づいて、乗場呼び及びかご呼びをかご７に応答させる。応答制御手段５３は、一般用乗場呼び管理手段５４、車両用乗場呼び管理手段５５、かご呼び管理手段５６等を具えている。
【００４０】
一般用乗場呼び管理手段５４は、各乗場の一般用乗場呼び登録受付手段３から受信した一般用乗場呼びのうち、未だ応答が完了していない未応答の一般用乗場呼びを記憶管理する。一般用乗場呼びの情報としては、例えば乗場呼びのあった階床番号及び行先方向が含まれる。
【００４１】
車両用乗場呼び管理手段５５は、各乗場の車両用乗場呼び登録受付手段４から受信した車両用乗場呼びのうち、未だ応答が完了していない未応答の車両用乗場呼びを記憶管理する。車両用乗場呼びの情報としては、例えば乗場呼びのあった階床番号及び行先方向が含まれる。また、未応答の車両用乗場呼びに優先順位の情報を付加して記憶管理する。優先順位は、車両用乗場呼びを車両用乗場呼び登録受付手段４から受信した順となるが、実質的に車両用登録受付手段４で入力が受け付けられた順である。
【００４２】
かご呼び管理手段５６は、かご７のかご呼び登録受付手段１０から受信したかご呼びのうち、未だ応答が完了していない未応答のかご呼びを記憶管理する。かご呼びの情報としては、例えば行先階の階床番号が含まれる。
【００４３】
応答制御手段５３は、かご７の現在位置、現在の運行方向及び運行モードなどに基づいて、未応答の乗場呼び及びかご呼びのかご７への応答を行なう。すなわち、乗場呼び及びかご呼びに対するかご７の停止階の応答を行なう。
【００４４】
応答制御手段５３は、一般用運行モード実行中、第1象限と第４象限（図４、図５及び段落[０００３]参照）の未応答の一般用乗場呼び及びかご呼びをかご７に応答させる。なお、第１象限と第４象限に乗場呼びがある場合には、第４象限の乗場呼びに先に応答させる。具体的には、かご７の停止階に応答する。一般用乗場呼びの場合は、呼びのあった階床番号を停止階としてかご７が応答する。また、かご呼びの場合は、行先階を停止階としてかご７が応答する。なお、本発明の一実施形態に係る一般用運行モードでは、セレクティブコレクティブ（セレコレ）運行方法が採用されている。したがって、応答制御手段５３は、この運行方法に基づくかご７の応答を行なう。すなわち、未応答の複数の呼びの中から象限の低い順で応答できる呼びを探して応答する。なお、セレコレ運行方法でのかご７の応答は、一般的な構成であるので詳細な説明は省略する。
【００４５】
図４は、呼びの階床と行先方向との関係を示す４象限マトリクスの一例を示す図である。図４は、かご７の運行方向が上昇方向に設定されている状態である。横軸をかご呼び及び乗場呼びの行先方向とし、原点より右側が上昇方向となって左側が下降方向となる。縦軸を乗場呼びのあった階床又はかご呼びの行先階とし、原点が現在かご７のいる階床となる。
【００４６】
例えば、かご７よりも上の階床の乗場にいる利用者Ｐの行先方向が上昇方向の乗場呼びは、第１象限に属する。また、かご７に乗車している利用者Ｑのかご呼びは、行先階がかご７よりも上の階床であって行先方向が上昇方向であるので、第１象限に属する。また、かご７よりも下の階床の乗場にいる利用者Ｒの乗場呼びは、行先方向は下降方向であるので第３象限となる。なお、運行方向が逆（下降方向）の場合には、各軸の上下が反転することとなる。すなわち、横軸の行先方向の場合、右側が下降方向となり、左側が上昇方向となる。
【００４７】
また、応答制御手段５３は、車両用運行モード実行中、第１象限及び第４象限の未応答の車両用乗場呼び及びかご呼びをかご７に応答させ、上述したように停止階に応答させる。また、本実施形態では、車両用運行モードの一回の実行あたりに応答する車両用乗場呼びの最大数が所定個数（例えば２）に設定されている。応答制御手段５３は、最初に運行方向と同一方向の未応答の車両用乗場呼びのうち、少なくとも最優先の車両用乗場呼びをかご７に応答させる。次に、運行方向と同一方向の未応答の車両用乗場呼びのうち、所定の優先順位が高く、且つ、応答可能な車両用乗場呼びをかご７に応答させる。
【００４８】
また、応答制御手段５３は、上述のかご７に応答させた応答情報（停止階）を運行制御手段５０に送信する。運行制御手段５０は、応答制御手段５３から受信した応答情報、運行方向制御手段５２から受信した運行方向情報などに基づいてモータ等の駆動手段を駆動してかご７を昇降させ、ドア７１の開閉を行なう。
【００４９】
また、エレベータシステム１におけるかご７の制御は、かご７に配置されたかご制御装置６によって実行される。詳細な説明は省略するが、かご制御装置６は、運行制御装置５との連繋により、照明、エアコン等の制御を行なう。また、図３に示すように、かご制御装置６は、かご７内に配置された退出案内手段８、車両用運行モード案内手段９、かご呼び登録受付手段１０をさらに具えている。退出案内手段８は、退出案内用スピーカ８０及びオーディオ回路（図示せず）等から構成される。退出案内手段８は、かご７や乗場で階床名案内、方向案内、戸開閉案内に使用される放送手段を用いてもよい。オーディオ回路は、例えば、退出案内の音声データをスピーカ８０から出力する。退出案内手段８は、接続されたモード制御手段５１からの指示に基づいて、上述したように軽便車両を利用していない一般者に対し、かご７からの退出を案内する（促す）音声を出力する。
【００５０】
車両用運行モード案内手段９は、かご内車両用運行モード灯９０、点灯回路（図示せず）等から構成されている。点灯回路は、かご内車両用運行モード灯９０に内蔵されたランプを点灯及び消灯する。車両用運行モード案内手段９は、有線又は無線接続されたモード制御手段５３の指示に基づいて、車両用運行モードが実行中であることを点灯により案内（報知）する。かご呼び登録受付手段１０は、かご呼びボタン１００等から構成される。かご呼び登録受付手段１０は、上述したようにかご呼び（かご７の乗客の行先階）の入力を受け付ける。また、かご呼び登録受付手段１０は、有線又は無線接続された応答制御手段５３に受け付けたかご呼び情報を送信する。
【００５１】
次に、上述した運行モードに基づくかご７の運行例を、図６を用いて説明する。図６は、かご７の運行線図である。横軸が経過時刻（秒）を示し、縦軸が階床を示す。この運行例では、最上階を１０階、最下階を１階とし、かご７が１０階で休止中である遊休状態にある状態から開始される。
【００５２】
なお、便宜上、階床間移動の走行時間は一律５秒とし、この走行時間に戸開に要する時間を含めるものとする。すなわち、以下の説明で、かご７の「到着」とは、かご７が階床まで走行して着床し、戸開が完了するまでの動作を意味する。
【００５３】
また、利用者がかご７に乗降するために要する乗降時間は、利用者の状況によって変化するが、この運行例では、かご７の到着後、一般用運行モードでは５秒、車両用運行モードでは２０秒とし、また、戸閉に要する時間を一律５秒とする。すなわち、かご７の到着後、かご７が階床で乗降及び戸閉のために停止している停止時間は、一般用運行モードでは乗降時間５秒に戸閉時間５秒を含めた１０秒、車両用運行モードでは乗降時間２０秒に戸閉時間５秒を含めた２５秒となる。そして、以下の説明では、かご７の「停止」とは、戸開完了後、利用者の乗降及び戸閉のためにかご７が階床に留まっている動作とする。
【００５４】
さらに、車両用運行モードから一般用運行モードに移行する際の所定時間は戸開完了後２０秒（すなわちかご７の到着後２０秒）、一般用運行モードから車両用運行モードに移行する際の所定時間は戸開完了後５秒（すなわちかご７の到着後５秒）とする。そして、乗場呼びによって乗車した利用者は、かご呼び（行先階の登録）を行なうものとして説明する。
【００５５】
図６の運行線図及び以下の説明において、一般用乗場呼びを「Ｇ」、車両用乗場呼びを「Ｃ」で表わし、行先方向上の乗場呼びを「Ｕ」、行先方向下の乗場呼びを「Ｄ」で表わす。たとえば、一般用乗場呼びの行先方向上の乗場呼びは「ＧＵ」で表わす。これらに続く「＠ＸＸ」は各乗場呼びの発生時刻を表わす。また、図６中の四角は、運行モードが「一般用運行モード」から「車両用運行モード」又はその逆に切り替わるタイミングを示す。
【００５６】
経過時刻０秒において一般用乗場呼びＧＵ＠０（階床：１、行先方向：上）が発生し、かご７の「一般用運行モード」（運行方向：上）が開始される。かご７は、１階に向かって移動を開始するが、途中で発生した一般用乗場呼びＧＤ＠２５（階床：３、行先方向：下）にも応答して３階に到着する（経過時刻：３５秒）。
【００５７】
そして、３階で１０秒（一般用運行モードの乗降時間５秒＋戸閉時間５秒）停止した後、かご７は下降して１階に到着し、一般用乗場呼びＧＤ＠２５の利用者をその行先階である１階で降車させる（経過時刻：５５秒〜６５秒）。
【００５８】
次に、かご７は、一般用乗場呼びＧＵ＠０の利用者を乗せて１階から上昇する（経過時刻：６５秒）。なお、この時点で第１象限の車両用乗場呼びＣＵ＠２５（階床：２、行先方向：上、優先順位：１）、第１象限の車両用乗場呼びＣＵ＠５０（階床：６、行先方向：上、優先順位：２）も発生しているが、一般用運行モード中であるので、これら乗場呼びはかご７に応答させず、２階、６階にかご７は停止しない。
【００５９】
その後、かご７は、一般用乗場呼びＧＵ＠０の利用者の行先階である４階に到着して１０秒間停止し（経過時刻：８０秒〜９０秒）、続いて一般用乗場呼びＧＵ＠５０の待つ５階に１０秒間停止し、一般乗場呼びＧＵ＠５０の利用者を乗車させる（経過時刻：９５秒〜１０５秒）。そして、かご７は、一般用乗場呼びＧＵ＠７５の利用者に応答して７階で１０秒間停止し、一般乗場呼びＧＵ＠７５の利用者を乗車させる（経過時刻：１１５秒〜１２５秒）。その後、かご７は、一般用乗場呼びＧＵ＠５０、ＧＵ＠７５の利用者の行先階である８階に上昇する。
【００６０】
かご７が８階に停止（経過時刻１３０秒〜１４０秒）し、一般乗場呼び＠ＧＵ５０とＧＵ＠７５の利用者が降車すると共にかご７の到着後５秒が経過（経過時刻：１３５秒）することで「運行モードの切替条件」が成立し、「車両用運行モード」が開始される。ただし、運行方向は上昇方向が維持される。
【００６１】
車両用運行モード（運行方向：上）の開始時点（経過時刻：１３５秒）で、既に発生しており未応答の車両用乗場呼びは、ＣＵ＠２５（階床：２、行先方向上、優先順位：１）、ＣＵ＠５０（階床：６、行先方向：上、優先順位：２）、ＣＵ＠１２５（階床：４、行先方向：上、優先順位：３）である。したがって、今回実行される車両用運行モードでは、車両用乗場呼びＣＵ＠２５とＣＵ＠５０をかご７に応答させ、車両用乗場呼びＣＵ＠１２５は未応答のまま保持される。これは、多くの車両用乗場呼びに応答（停止）してしまうと、先に発生した優先順位の高い車両用乗場呼びＣＵ＠５０の利用者が乗車できなくなる虞があるためである。
【００６２】
続いてかご７は、戸閉後（経過時間１４０秒）、車両用乗場呼びＣＵ＠２５の待つ２階まで下降して停止する（経過時刻：１７０秒）。２階での呼びは車両用乗場呼びであるため、かご７の停止時間は、車両用運行モードの乗降時間２０秒と戸閉時間５秒を加えた２５秒間となる。そして、車両用乗場呼びＣＵ＠２５の利用者が乗車した後（経過時刻：１９５秒）、この利用者の行先階の５階に上昇して停止し、車両用乗場呼びＣＵ＠２５の利用者を降車させる（経過時刻：２１０秒〜２３５秒）。その後、かご７は、車両用乗場呼びＣＵ＠５０の待つ６階に上昇して停止し、車両用乗場呼びＣＵ＠５０の利用者を乗車させる（経過時刻：２４０秒〜２５５秒）。次に、かご７は、車両用乗場呼びＣＵ＠５０の利用者の行先階の９階に上昇して停止する（経過時刻：２８０秒）。
【００６３】
そして、ＣＵ＠５０の利用者が降車すると共にかご７の到着後２０秒経過することで「運行モードの切替条件」が成立し、「一般用運行モード」が開始される（経過時刻：３００秒）。さらに、運行方向も上昇方向から下降方向に切り替えられる。
【００６４】
その後、一般用運行モード（運行方向：下）の開始時点（経過時刻：３００秒）で、未応答の一般用乗場呼びＧＤ＠２００（階床：８、行先方向：下）をかご７に応答させるためにかご７は戸閉の後（経過時刻：３０５秒）、９階から８階に下降して停止し、一般用乗場呼びＧＤ＠２００の利用者を乗車させる（経過時刻：３１０秒〜３２０秒）。次に、かご７は、一般用乗場呼びＧＤ＠２００の利用者の行先階である６階に下降する。そして、かご７が６階に停止した後（経過時刻：３３０秒）、ＧＤ＠２００の利用者が降車すると共にかご７の到着後５秒経過することで「運行モードの切替条件」が成立し、「車両用運行モード」が開始される（経過時刻：３３５秒）。運行方向は下降方向が維持される。
【００６５】
車両用運行モード（運行方向：下）の開始時点（経過時刻：３３５秒）で、未応答の車両用乗場呼びは、ＣＵ＠１２５（階床：４、行先方向：上、優先順位：１）とＣＤ＠３００（階床：５、行先方向：下、優先順位：３）である。車両用乗場呼びＣＵ＠１２５は、優先順位は高いが、行先方向が運行方向（下降方向）とは逆であるのでかご７には応答しない。したがって、行先方向が運転方向と同一方向の車両用乗場呼びＣＤ＠３００だけをかご７に応答させる。
【００６６】
かご７は、戸閉の後（経過時刻：３４０秒）、現在位置の６階から車両用乗場呼びＣＤ＠３００の５階に応答するために下降して停止し、ＣＤ＠３００の利用者を乗車させる（経過時刻：３４５秒〜３７０秒）。その後、車両用乗場呼びＣＤ＠３００の利用者の行先階である３階に停止（経過時刻：３８０秒）する。
【００６７】
かご７が３階に到着して停止した後、ＣＤ＠３００の利用者が降車すると共にかご７の到着後２０秒経過することで「運行モードの切替条件」が成立し、「一般用運行モード」が開始される（経過時刻：４００秒）。また、運行方向も、下降方向から上昇方向に切り替えられる。なお、かご７が３階に停止し、運行モードの切替待ちの状態で運行方向と同一方向の一般用乗場呼びＧＤ＠３７５が発生している。一般的なセレコレ運行方法ではかご７はこの乗場呼びに応答するが、本発明では、車両用運行モード中であるため、一般乗場呼びＧＤ＠３７５には応答しない。
【００６８】
一般用運行モード（運行方向上）の開始時点（経過時刻：４００秒）で、未応答の一般用乗場呼びは、ＧＵ＠３００（階床：７、行先方向：上）とＧＤ＠３７５（階床：２、行先方向：下）である。そこで、行先方向が運転方向（上）と同一方向となる一般用乗場呼びＧＵ＠３００（階床：７、行先方向：上）だけをかご７に応答させる。
【００６９】
すなわち、かご７は、戸閉の後（経過時刻：４０５秒）、現在位置の３階から一般用乗場呼びＧＵ＠３００の７階に上昇して停止し、ＧＵ＠３００の利用者を降車させる（経過時刻：４２５秒〜４３５秒）。その後、一般用乗場呼びＧＵ＠３００の利用者の行先階である１０階に停止する（経過時刻：４５０秒）。
【００７０】
かご７が１０階に停止した後、ＧＵ＠３００の利用者が降車すると共にかご７の到着後５秒経過することで再び「運行モードの切替条件」が成立し（経過時刻：４５５秒）、「車両用運行モード」が開始される。運行方向は上昇方向が維持される。
【００７１】
車両用運行モード（運行方向：上）の開始時点（経過時刻：４５５秒）で、未応答の車両用乗場呼びは、ＣＵ＠１２５（階床：４、行先方向：上、優先順位：１）、ＣＤ＠３５０（階床：７、行先方向：下、優先順位：２）、ＣＤ＠４２５（階床：３、行先方向：下、優先順位：３）である。したがって、行先方向が運行方向（上）と同一方向の未応答の車両用乗場呼びＣＵ＠１２５をかご７に応答させる。
【００７２】
すなわち、かご７は、戸閉の後（経過時刻４６０秒）、現在位置の１０階から車両用乗場呼びＣＵ＠１２５の４階に下降して停止し、ＣＵ＠１２５の利用者を乗車させる（経過時刻：４９０秒〜５１５秒）。その後、車両用乗場呼びＣＵ＠１２５の利用者の行先階となる９階に上昇する。
【００７３】
かご７が９階に停止した後（経過時刻：５４０秒）、ＣＵ＠１２５の利用者が降車すると共にかご７の到着後２０秒経過することで「運行モードの切替条件」が成立し（経過時刻：５６０秒）、「一般用運行モード」が開始される。また、運行方向は、上昇方向から下降方向に切り替えられる。
【００７４】
一般用運行モード（運行方向：下）の開始時点（経過時刻：５６０秒）で、未応答の一般用乗場呼びはＧＤ＠３７５（階床：２、行先方向：下）である。一般用乗場呼びＧＤ＠３７５は、行先方向が運転方向（下）と同一方向であるのでかご７に応答させられる。
【００７５】
すなわち、かご７は、戸閉の後（経過時刻：５６５秒）、現在位置の７階から一般用乗場呼びＧＤ＠３７５の２階に下降して停止し、ＧＤ＠３７５の利用者を乗車させる（経過時刻：６００秒〜６１０秒）。その後、一般用乗場呼びＧＤ＠３７５の利用者の行先階である１階に停止する（経過時刻：６１５秒）。
【００７６】
そして、かご７が１階に停止した後（経過時刻：６１５秒）後、ＧＤ＠３７５の利用者が降車すると共にかご７の到着後５秒経過することで「運行モードの切替条件」が成立し（経過時刻：６２０秒）、「車両用運行モード」が開始される。運行方向は下降方向が維持される。
【００７７】
車両用運行モード（運行方向：下）の開始時点（経過時刻：６２０秒）で、未応答の車両用乗場呼びは、ＣＤ＠３５０（階床：７、行先方向：下、優先順位：１）、ＣＤ＠４２５（階床：３、行先方向：下、優先順位：２）、ＣＤ＠５００（階床：８、行先方向：下、優先順位：３）である。これら３つの乗場呼びは、行先方向が運行方向（下）と同一方向であるが、優先順位に従って車両用乗場呼びＣＤ＠３５０とＣＤ＠４２５をかご７に応答させる。
【００７８】
かご７は、現在位置の１階から車両用乗場呼びＣＤ＠３５０の７階に上昇し、ＣＤ＠３５０の利用者を乗車させる（経過時刻６５５秒〜６８０秒）。その後、車両用乗場呼びＣＤ＠４２５の３階に下降してＣＤ＠４２５の利用者を乗車させ（経過時刻７００秒〜７２５秒）、車両用乗場呼びＣＤ＠３５０，ＣＤ＠４２５の利用者の行先階となる２階に下降する。そして、かご７が２階に停止した後、（経過時刻７３０秒）、ＣＤ＠３５０，ＣＤ＠４２５の利用者が降車すると共にかご７の到着後２０秒経過することで「運行モードの切替条件」が成立し（経過時刻：７５０秒）、「一般用運行モード」が開始される。
【００７９】
しかし、現時点では、未応答の一般用乗場呼びはなく、未応答の車両用乗場呼びＣＤ＠５００（階床：８、行先方向：下、優先順位：１）があるのみである。したがって、順に実行される一般用運行モード（運行方向：上）、車両用運行モード（運行方向：上）の実行は行なわれず、「車両用運行モード」（運行方向：下）の実行が開始される。そして、車両用乗場呼びＣＤ＠５００をかご７に応答させる。
【００８０】
すなわち、かご７は、戸閉の後（経過時刻：７５５秒）、現在位置の２階から車両用乗場呼びＣＤ＠５００の待つ８階に上昇し、ＣＤ＠５００の利用者を乗車させる（経過時刻：７８５秒〜８１０秒）。その後、車両用乗場呼びＣＤ＠５００の利用者の行先階となる７階に下降する。
【００８１】
そして、かご７が７階に停止した後（経過時刻：８１５秒）、ＣＤ＠５００の利用者が降車すると共にかご７の到着後２０秒経過することで「運行モードの切替条件」が成立するが（経過時刻：８３５秒）、すべての乗場呼びに応答し、未応答の乗場呼びは存在しないため遊休状態となる。
【００８２】
以上が、図６のかご７の運行線図を用いた運行例の説明となる。
【００８３】
次に、上述したかご７の運行モードの切替制御処理及び応答処理について図７を参照しつつ詳述する。図７は、かご７の切替制御処理及び応答処理を示すフローチャートである。この処理は、一般用乗場呼び又は車両用乗場呼びの入力が受け付けられたことを契機として、運行制御装置５０によって実行される。
【００８４】
最初に、運行制御手段５０は、運行方向の初期設定として上昇方向を設定し（ステップＳ１０）、さらに運行モードの初期設定として一般用運行モードを設定する（ステップＳ１１）。次に、運行制御手段５０は、運行方向と同一方向の未応答の一般用乗場呼びの有無を判断する（ステップＳ１２）。未応答の一般用乗場呼びがないと判断した場合（ステップＳ１２のＮＯ）、運行制御手段５０は、ステップＳ２０の処理に移行する。
【００８５】
一方、運行方向と同一方向の未応答の一般用乗場呼びがあると判断した場合（ステップＳ１２のＹＥＳ）、運行制御手段５０は、一般用乗場呼びのかご７の応答処理を実行する（ステップＳ１３）。この処理において、応答した一般用乗場呼びの応答情報が運行制御５０に送信される。なお、一般用乗場呼びのかご７の応答処理は、上述したように一般的なセレコレ運行方法の応答処理となるため詳細な説明は省略する。
【００８６】
次に、運行制御手段５０は、未応答のかご呼びの有無を判断する（ステップＳ１４）。かご呼びがあると判断した場合（ステップＳ１４のＹＥＳ）、運行制御手段５０は、かご呼びのかご７の応答処理を行ない（ステップＳ１５）、ステップＳ１６の処理に移行する。この応答処理において、応答したかご呼びの応答情報が運行制御手段５０に送信される。なお、かご呼びのかご７の応答処理も、上述したように一般的なセレコレ運行方法の応答処理となるため詳細な説明は省略する。
【００８７】
また、ステップＳ１４の処理において、かご呼びがないと判断した場合、運行制御手段５０は、現在の運行方向における一般用運行モードの応答が終了したか否かを判断する（ステップＳ１６）。具体的には、上述した一般用運行モードから車両用運行モードへの切替条件が成立したか否かを判断する。応答はまだ終了していないと判断した場合（ステップＳ１６のＮＯ）、運行制御手段５０は、ステップＳ１２の処理に移行する。そして、応答の終了まで、その後に発生する呼びの応答処理を行なう。
【００８８】
また、ステップＳ１６の処理において、ステップＳ１２〜ステップＳ１５の処理によって、応答することが選択された全ての乗場呼び及びかご呼びに応答が終了したと判断した場合（ステップＳ１６のＹＥＳ）、運行制御手段５０は、運行モードを一般用運行モードから車両用運行モードに切り替える（ステップＳ２０）。なお、運行方向は現在の設定内容が維持される。次に、運行制御手段５０は、運行方向と同一方向の未応答の車両用乗場呼びの有無を判断する（ステップＳ２１）。未応答の車両用乗場呼びがないと判断した場合（ステップＳ２１のＮＯ）、運行制御手段５０は、ステップＳ２６の処理に移行する。
【００８９】
一方、運行方向と同一方向の未応答の車両用乗場呼びがあると判断した場合（ステップＳ２１のＹＥＳ）、運行制御手段５０は、上記未応答の車両用乗場呼びのかご７の応答処理を実行する（ステップＳ２２）。車両用乗場呼びのかご７の応答処理については後述する。
【００９０】
次に、運行制御手段５０は、未応答のかご呼びの有無を判断する（ステップＳ２３）。かご呼びがあると判断した場合（ステップＳ２３のＹＥＳ）、運行制御手段５０は、かご呼びのかご７の応答処理を行なう（ステップＳ２４）。なお、かご呼びのかご７の応答処理についても後述する。その後、ステップＳ２６の処理に移行する。
【００９１】
一方、かご呼びがないと判断した場合（ステップＳ２３のＮＯ）、運行制御手段５０は、現在の運行方向における車両用運行モードの応答が終了したか否かを判断する（ステップＳ２５）。具体的には、上述した車両用運行モードから一般用運行モードへの切替条件が成立したか否かを判断する。応答はまだ終了していないと判断した場合（ステップＳ２５のＮＯ）、運行制御手段５０は、ステップＳ２３の処理に移行する。そして、応答の終了まで、その後に発生するかご呼びの応答処理を行なう。なお、本実施形態では、その後に発生する車両用乗場呼びについては応答処理を行なわないが、実行するようにしてもよい。
【００９２】
一方、ステップＳ２１〜ステップＳ２４の処理によって、応答することが選択された全ての乗場呼び及びかご呼びに応答が終了したと判断した場合（ステップＳ２５のＹＥＳ）、運行制御手段５０は、未応答の他の乗場呼びがあるか否かを判断する（ステップＳ２６）。すなわち、未応答の一般用乗場呼び又は運行方向とは異なる車両用乗場呼びの有無が判定される。未応答の他の乗場呼びがないと判断した場合（ステップＳ２６のＮＯ）、運行制御手段５０は、遊休状態であるとしてかご７の運行処理を終了する。
【００９３】
一方、未応答の他の乗場呼びがあると判断した場合（ステップＳ２６のＹＥＳ）、運行制御手段５０は、運行方向を他方向に切り替える（ステップＳ２７）。例えば、現在、運行方向が上昇方向であれば、下降方向に切り替える。その後、ステップＳ１１の処理に戻る。このように、遊休状態となるまで運行モードが一般用運行モードと車両用運行モードに交互に切り替えられていく。
【００９４】
次に、上述のステップＳ２２の車両用乗場呼びの応答処理について図８を参照しつつ説明する。図８は、運行方向と同一方向の未応答の車両用乗場呼びのかご７の応答処理を示すフローチャートである。
【００９５】
運行制御手段５０は、ステップＳ２１の処理で運行方向と同一方向の未応答の車両用乗場呼びがあると判断した場合、運行方向と同一方向の未応答の車両用乗場呼びのうちから、１つ目の車両用乗場呼びをかご７に応答させる（ステップＳ４０）。具体的には、この車両用乗場呼びの階床番号を応答情報に登録する。１つ目の車両用乗場呼びは、上記未応答の車両用乗場呼びのうちで優先順位の最も高い（最優先）の車両用乗場呼びである。
【００９６】
次に、運行制御手段５０は、次に応答すべき運行方向と同一方向の未応答の車両用乗場呼びの有無を判断する（ステップＳ４１）。具体的には、ステップＳ４０の処理で応答した第１象限と第４象限の車両用乗場呼びの有無を判断する。例えば、ステップＳ４０の処理で、図６に示す車両用乗場呼びＣＤ＠３５０に応答させた場合、車両用乗場呼びＣＤ＠４２５が該当する。
【００９７】
上記未応答の車両用乗場呼びがないと判断した場合（ステップＳ４１のＮＯ）、運行制御手段５０は、ステップＳ４３の処理に移行する。一方、上記未応答の車両用乗場呼びがあると判断した場合（ステップＳ４１のＹＥＳ）、運行制御手段５０は、該当する上記未応答の車両用乗場呼びの中で優先順位の最も高いものを、上述のステップＳ４０の処理と同様にかご７に応答させる（ステップＳ４２）。
【００９８】
次に、応答情報は運行制御手段５０に送信され（ステップＳ４３）、未応答の車両用乗場呼びの更新処理を行なう（ステップＳ４４）。例えば、かご７に応答させた車両用乗場呼びの削除、残りの未応答の車両用乗場呼びの優先順位の更新を行なう。そして、運行制御手段５０は、この応答処理を終了して上述したステップＳ２３処理に移行する。
【００９９】
次に、上述のステップＳ２４のかご呼びのかご７の応答処理について図９を参照しつつ説明する。図９は、かご呼びのかご７の応答処理を示すフローチャートである。
【０１００】
運行制御手段５０は、ステップＳ２３の処理で未応答のかご呼びがあると判断した場合、未応答のかご呼びの中から、１のかご呼びを選択する（ステップＳ５０）。次に、運行制御手段５０は、選択したかご呼びの行先階が、かご７の現在位置よりも運行方向上にあるか否かを判断する（ステップＳ５１）。かご７の現在位置は、例えば、運行制御手段５０から取得すればよい。
【０１０１】
かご７の現在位置よりも運行方向上にないと判断した場合（ステップＳ５１のＮＯ）、運行制御手段５０は、ステップＳ５５の処理に移行する。すなわち、このかご呼びのかご７の応答は行なわれない。したがって、例えば、車両用運行モード（運行方向：上）が開始され、かご７が１０階から車両用乗場呼び（階床：１、行先方向：上）に応答して１階に下降している間、この時点でかご７に未だ残っている一般客がかご呼び（行先階：２）を行なっても、車両運行用モード中であるため、一般用かご呼びである２階には停止しない。
【０１０２】
一方、かご７の現在位置よりも運行方向上にあると判断した場合（ステップＳ５１のＹＥＳ）、運行制御手段５０は、このかご呼びをかご７に応答させる（ステップＳ５２）。具体的には、応答情報にこのかご呼びの行先階を登録する。その後、この応答情報を運行制御手段５０に送信し（ステップＳ５３）、未応答のかご呼びの更新処理を行なう（ステップＳ５４）。更新処理では、例えば、応答させたかご呼びを削除する。
【０１０３】
次に、運行制御手段５０は、未応答のかご呼び全てについてステップＳ５１〜Ｓ５４の処理が終了したか否かを判断する（ステップＳ５５）。終了していないと判断した場合（ステップＳ５５のＮＯ）、運行制御手段５０は、次の未応答のかご呼びを選択し（ステップＳ５６）、ステップＳ５１の処理に移行する。また、終了したと判断した場合（ステップＳ５５のＹＥＳ）、運行制御手段５０は、この応答処理を終了して上述したステップＳ２５の処理に移行する。
【０１０４】
次に、乗場車両用運行モード灯２０の点灯処理について図１０を参照しつつ詳述する。図１０は、乗場車両用運行モード灯２０の点灯処理のフローチャートである。この処理は、運行モードが車両用運行モードに切り替えられたことを契機として、主として運行制御手段５０によって実行される。
【０１０５】
最初に、運行制御手段５０は、点等回路を駆動してランプを点灯させる（ステップＳ６０）。その後、車両用運行モードが終了する（ステップＳ６１のＹＥＳ）までランプの点灯を継続する。そして、車両用運行モードが終了したと判断した場合（ステップＳ６１のＹＥＳ）、運行制御手段５０は、点灯回路の駆動を停止してランプを消灯する（ステップＳ６２）。そして、この点灯処理を終了する。なお、図示は省略するが、かご内車両用運行モード灯９０についても同様の点灯処理が行なわれる。
【０１０６】
なお、本実施形態では、現在の運行モードが車両用運行モードであることの案内をランプによって視覚的に行なっているが、ＬＥＤや液晶表示等であってもよく、また、特にこれらに限定されるものではない。例えば、音声出力による聴覚的な案内を行なう構成としてもよい。また、一般用運行モードの実行中であることを案内する表示も行なうようにしてもよい。この場合、一般用運行モードと車両用運行モードで点灯時の色彩を区別すればよい。
【０１０７】
次に、退出案内用スピーカ８０の出力処理について図１１を参照しつつ詳述する。図１１は、退出案内用スピーカ８０の出力処理のフローチャートである。この処理は、運行モードが車両用運行モードに切り替えられたことを契機として、主として運行制御手段５０によって実行される。
【０１０８】
最初に、運行制御手段５０は、上述したように予め記憶されている退出案内の音声データ（ディジタル信号）をアナログ信号に変替してスピーカ８０から出力する（ステップＳ７０）。その後、かご７が最初の階床に停止する（ステップＳ７１のＹＥＳ）まで上記音声出力を繰り返し行なう。そして、かご７が最初の階床に停止したと判断した場合（ステップＳ７１のＹＥＳ）、運行制御手段５０は、音声出力を停止し（ステップＳ７２）、この出力処理を終了する。
【０１０９】
なお、本実施形態では、退出案内を音声出力によって聴覚的に行っているが、特にこれに限定されるものではない。例えば、液晶ディスプレイなどへのメッセージ表示（出力）による視覚的な案内を行なう構成としてもよい。また、本実施形態では、かご７が最初の階床に停止するまで音声出力が行なわれるが、特にこれに限定されるものではない。少なくとも車両用運行モードが実行されている間であればいつでもよい。
【０１１０】
以上のように、軽便車両の利用者の乗場呼び（車両用乗場呼び）と一般者の乗場呼び（一般用乗場呼び）が区別され、かごの運行モードが車両用運行モードと一般用運行モードに交互に切り替えられる。そして、車両用運行モード時には車両用乗場呼びに対する応答が行なわれ、一般用運行モード時には一般用乗場呼びに対する応答が行なわれる。すなわち、軽便車両の利用者及び一般者のかごの応答が交互に切り替えられて提供される。したがって、車両用運行モード時の一般者のかごへの乗り込みを抑制することができ、軽便車両の利用者が確実にかごに乗車できる運行を提供できる。これにより、軽便車両の利用者の最大待ち時間を短縮することができる。
【０１１１】
また、交互に運行モードが切り替わっても、例えば、車両用乗場呼びが発生しなければ一般用運行モードが実質的に継続して実行されるので、車両用乗場呼びが発生していないにも関わらず車両用運行モードが切り替わるのを待たなくてもよい。同様に、一般用乗場呼びが発生しなければ車両用運行モードが実質的に継続して実行されるので、一般用乗場呼びが発生していないにも拘わらず一般用運行モードが切り替わるのを待たなくてもよい。
【０１１２】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【０１１３】
なお、上述実施形態では、乗場呼びは行先方向を入力する構成であるが、タッチパネル等を用いて行先階を入力する構成としてもよい。また、上述の実施形態では、車両用運行モード時に応答させる一般用乗場呼びの最大数が２であったが、特にこれに限定されるものではない。乗場の数よりも少なければよい。あるいは、最大数を設定しなくてもよい。
【０１１４】
さらに、上述の実施形態では、乗場呼びが発生している状態では常に交互に運行モードが切り替えられるが、特にこれに限定されるものではない。例えば、混雑する時間帯だけ運行モードを交互に切り替えるようにしてもよい。そして、混雑する時間帯以外は、一般用運行モードを継続して実行する。混雑時を除けば軽便車両の利用者が乗車できない場合は比較的少ないからである。交互に切り替える時間帯は、予め設定しておいてもよく、またエレベータシステムが混雑の判断をした場合に設定してもよい。混雑の判断は、例えば、階床に停止する頻度が高い場合、かご内の荷重が所定重量以上になった場合に混雑と判断すればよい。
【０１１５】
また、上述の実施形態では、運行されるかごは一台であったが、複数台のかごを一群として運行管理する群管理装置を有するエレベータシステムに本発明を適用してもよい。この場合、複数台のかごのそれぞれについて運行モードを設定し、各かごの運行モードを切り替えつつ、車両用運行モード実行中のかごに車両用乗場呼びを応答させ、一般用運行モード実行中のかごに一般用乗場呼びを応答させるようにすればよい。
【０１１６】
なお、群管理装置を有するエレベータシステムでは、割当変更が行なわれることがあり、また、複数台のかごの内、何れのかごが応答したかを利用者に知らせる必要がある。このため、必要に応じて、これらを利用者に報知する液晶ディスプレイ等の案内手段を配置することが望ましい。
【０１１７】
さらに、割当変更を行なう場合、特に車両呼びに対しては、利用者の移動の負担を小さくするために、車両用乗場呼びボタン４０に隣接するかごへの割当変更とすることが好適である。この場合、運行制御手段５０は、乗場における車両用乗場呼びボタン４０の位置、隣接するかごの配置等のレイアウト情報を記憶しておき、割当変更の際にこの情報を参照することが望ましい。
【０１１８】
加えて、複数台のかごについて、特定のかごは車両用乗場呼び専用、特定のかごは一般用乗場呼び専用とすることもできる。この場合であっても、遊休状態のかごについては、エレベータシステムの運行効率を向上させるために、運行モードを車両用から一般用、または、一般用から車両用に切り替えることができるようにしてもよい。
【符号の説明】
【０１１９】
１  エレベータシステム
２  車両用運行モード案内手段
３  一般用乗場呼び登録受付手段
４  車両用乗場呼び登録受付手段
５  運行制御装置
５０  運行制御手段
６  かご制御装置
７  かご
８  退出案内手段
９  車両用運行モード案内手段
１０  かご呼び登録受付手段
２０  乗場車両用運行モード灯
３０  一般用乗場呼びボタン
４０  車両用乗場呼びボタン
５１  モード制御手段
５２  運行方向制御手段
５３  応答制御手段
８０  スピーカ
９０  かご内車両用運行モード灯
【図１】
0006376011.tif 000002
【図２】
0006376011.tif 000003
【図３】
0006376011.tif 000004
【図４】
0006376011.tif 000005
【図５】
0006376011.tif 000006
【図６】
0006376011.tif 000007
【図７】
0006376011.tif 000008
【図８】
0006376011.tif 000009
【図９】
0006376011.tif 000010
【図１０】
0006376011.tif 000011
【図１１】
0006376011.tif 000012